(57)【要約】【課題】慣例のガス弁の代わりとして、膨張球に一体に形成されたリップ構造を含む膨張球を提供することにある。【解決手段】血圧計に使用するのに適した膨張球２００は内部が中空であり、ガス入口端２１０とガス出口端２２０を含む。ガス入口端の内側には内向きに突き出るほヾ平らなリップ部２１２を形成している。リップ部はガス入口開口を画成し、この開口を通して外部の空気ガスが膨張球に侵入することができる。ガス出口端はガス出口開口を含む。ガス出口開口はガス取り入れ管に連結される。膨張球が加圧されると、リップ部がガス入口開口を塞ぎ、これにより内部の空気ガスをガス出口開口を経て押し出す。一旦加圧作用が解放されると、膨張球はその初期状態に回復して、リップ部がガス入口開口を開かせる。膨張球の加圧と解放を繰り返すことによって、血圧計の加圧帯を膨張させる。【選択図】　　　　図２Ａ
2004113773.tif 000002
【特許請求の範囲】
【請求項１】
血圧計に使用するのに適した膨張球において、該膨張球は内部が中空であり、かつガス入口端とガス出口端を含み、ガス入口端の内側はガス入口開口を画成する突出したリップ部を形成しており、前記入口開口を通して外部の空気ガスが膨張球に侵入することができ、ガス出口端はガス出口開口を備えていることを特徴とする膨張球。
【請求項２】
ガス入口端の外壁は更に、ガス入口端の硬さを増す補強部分を含むことを特徴とする請求項１に記載の膨張球。
【請求項３】
ガス出口開口は更に、ガス取り入れ管に連結されていることを特徴とする請求項１に記載の膨張球。
【発明の詳細な説明】
【０００１】
【発明の属する技術分野】
本発明は血圧計用の膨張球に関し、詳細には、追加の弁組立体を必要とせずに一体に形成することができる膨張球に関するものである。
【０００２】
【従来の技術】
現行の血圧計は通常、自動式電気血圧計、半自動式電気血圧計、及び水銀型血圧計を含む種々の型式に分類されている。半自動式電気血圧計と水銀型血圧計は慣例として膨張球の使用を必要とする。膨張球の加圧と解放を繰り返すことによって空気ガスは手動で血圧計の加圧帯を膨張させるために送出される。
【０００３】
図１Ａと図１Ｂは夫々、特に従来技術で既知の血圧計用の膨張球を示す縦断面図と横断面図である。膨張球１００は内部が中空であり、ガス入口端１１０とガス出口端１２０で終端している。ガス入口端１１０は単方向型のガス弁１３０を含むガス入口開口１１２を備えている。ガス出口端１２０は更に、ガス取り入れ管１０に連結されたガス出口開口１２２を備えている。慣例として、ガス取り入れ管１０は更に、ガス逆流防止装置（図示せず）に連結する。単方向型ガス弁１３０は主体１３２から構成され、この主体の中空内部には密封用ボール１３４が据え付けられている。上記弁１３０の２つの向かい合った端は夫々貫通孔１３６と１３８を備えている。貫通孔１３６は密封用ボールの直径より大きい直径をもち、かつ受け指片１４０を備えており、上記受け指片は主体１３２内での密封用ボールの移動を制限するために貫通孔１３６の縁でお互いに間隔をおいて突き出ている。貫通孔１３８は密封用ボール１３４の直径より小さい直径をもつ。
【０００４】
膨張球１００が加圧されておらずにその初期状態にあるとき、外部の空気は、密封用ボール１３４の直径より大きい直径をもつ弁１３０の連通孔１３６を経て膨張球１００内に侵入する。
【０００５】
図１Ｃと図１Ｄは夫々、従来技術の既知の膨張球の加圧状態を示す縦断面図と横断面図である。膨張球１００が加圧されたとき、その中の空気ガスは膨張球１００の２つの端に向かって流れる。ガス入口端１１０で、空気ガスは弁１３０に入りそして密封用ボール１３４を押して、貫通孔１３８を塞ぐようにする。それ故空気ガスはガス出口開口１２２を経て膨張球１００から出る。膨張球１００の加圧と解放を繰り返すことによって、空気ガスはガス取り入れ管１０を通って送出され、血圧計の加圧帯を膨張させる。
【０００６】
上記構造の１つの欠点は、膨張球とガス弁は別個の素子であり、それ故、それらは互いに組み立てられなければならない。その結果、製作コストと製作時間の両方が増すことになる。更に、ガス弁は通常、金属材料から作られているので、密封用ボールと貫通孔間の接触が密閉封止を達成するのに無効となることがある。このことは不都合にも膨張球の歩留りを下げることになる。
【０００７】
【発明が解決しようとする課題】
本発明の目的は、慣例のガス弁の代わりとして、膨張球に一体に形成されたリップ構造を含む膨張球を提供することにある。
【０００８】
【課題を解決するための手段】
上記及び他の目的を達成するために、本発明は、半自動式の電気血圧計または水銀型の血圧計とすることができる血圧計に使用するのに適した膨張球を提供する。その膨張球は内部が中空であり、かつガス入口端とガス出口端を含む。ガス入口端の内側はほヾ平らな、内向きに突き出るリップ部を形成する。上記リップ部はガス入口開口を画成し、この入口開口を通して外部の空気ガスが膨張球内に入ることができ、このリップ部はガス入口開口を塞いだり開放したりすることができる。ガス出口端はガス出口開口を含む。ガス出口開口は更にガス取り入れ管に連結される。
【０００９】
本発明の他の実施例によれば、ガス入口開口は棒形の開口、十字形の開口またはＹ形の開口の如き色々な形状を含むことができる。膨張球が加圧されたとき、リップ部はガス入口開口を塞ぎ、これによって膨張球内の空気ガスをガス取り入れ管に開くガス出口を通して流出させることになる。オペレータが加圧作用を解放すると、膨張球はその初期の状態を回復して、リップ部がガス入口開口を開放し、それ故空気が膨張球内に入る。膨張球の加圧と解放を繰り返すことによって、空気ガスがガス取り入れ管を通して送出され、血圧計の加圧帯を膨張させる。
【００１０】
本発明の好適実施例によれば、ガス入口端の外壁は更に、補強部分を備え、この補強部分はリップ部を巡ってほヾ環状をなしている。この補強部分は好適には、ガス入口端の外壁の厚さを増すことによって形成され、その硬さを局部的に増すようにする。それによって、オペレータがガス入口端の場所で膨張球を加圧することが防止される。また、補強部分はリップ部が不適切に偏ることを防止することができる。リップ部のこの不適切な偏りはガス入口開口の塞ぎを不可能にすることがあるものである。
【００１１】
上述の一般的な説明と下記の詳細な説明の両者は例示であることは言うまでもなく、これらの説明は請求の範囲に記載した本発明の説明に付言することを意図したものである。
また、添付図面は本発明を更に理解するために用いられ、本明細書に合体され、明細書の一部をなすものである。これらの図は本発明の実施例を示すもので、明細書の記載と共同して、本発明の原理を説明するのに役立つものである。
【００１２】
添付図面を参照してなされる本発明の実施例についての以下の詳細な説明は単なる例示であり、本発明を限定するものではない。また、説明中において同じ参照符号は、図面に別な仕方で示されていないならば、同様の素子を指示するものである。
【００１３】
先ず、図２Ａと図２Ｂを参照して本発明の膨張球を説明する。図示の如く、　膨張球２００は内部が中空であり、ガス入口端２１０とガス出口端２２０を含む。ガス入口端２１０の内側には１対の突出したリップ部２１２を形成しており、これらのリップ部はほヾ平らで長手方向に延びている。リップ部２１２はガス入口開口２１４を形成する。ガス入口開口２１４は例えば棒形の開口を含むが、この棒形の開口に限定されるものではない。膨張球２００の初期状態で、リップ部２１２はガス入口開口２１４を塞ぐ。ガス出口端２２０はガス出口開口２２２で開放している。この出口開口はガス取り入れ管１０に連結される。ガス取り入れ管１０は更に、ガス逆流防止装置（図示せず）に連結されている。このことは当業者には周知である。リップ部２１２が膨張球と一体に形成されることは認められるだろう。リップ部２１２と膨張球２００は例えば、可撓性のゴムから作ることができるが、それに限定されるものではない。ガス入口端２１０は補強部分２１６を備えた外壁をもつ。補強部分２１６はリップ部２１２をほヾ環状に巡っている。
【００１４】
図２Ｃと図２Ｄは夫々、本発明の１実施例の膨張球の加圧状態を示す縦断面図と横断面図である。
【００１５】
膨張球２００が加圧されたとき、リップ部２１２はガス入口開口２１４を塞ぐ。加圧力によって、ガス入口開口２１４で阻止されている膨張球２００内の空気ガスはガス出口端２００を通って押し出される。
【００１６】
図２Ｅと図２Ｆは夫々、本発明の１実施例の膨張球の回復状態を示す縦断面図と横断面図である。
【００１７】
オペレータが加圧作用を解放したとき、膨張球２００はそれ自身の特性によって、その初期の状態に回復することができる。膨張球２００がその初期状態に回復するとき、リップ部２１２はガス入口開口２１４を開放し、これによって外部の空気ガスが膨張球２００内に侵入することができる。上記の如き加圧／解放作用の繰り返しによって、空気ガスはガス取り入れ管１０を通して漸次送出される。
【００１８】
図３Ａと図３Ｂは本発明の変形実施例を示す概略図であり、ガス入口開口２１４は十字形または“Ｙ”形の如き種々の適当な形状を含むことができる。その形状にかかわらずガス入口開口２１４は、膨張球２００が初期の輪郭を回復したときに開き、そして膨張球２００がその初期輪郭になったときかまたはオペレータによって加圧されたときに、遮られるという特徴を有する。
【００１９】
上述の如く、補強部分２１６は、例えばガス入口端２１０の外壁の厚さを増すことによって、形成され、その部分は局部的に硬さを増す。それによって、オペレータはガス入口端２１０の場所で膨張球２００を加圧するのを妨げられる。補強部分２１６は、リップ部２１２の不適切な偏りがガス入口開口２１４を不都合に遮るのを、防止する。
【００２０】
上述の如く、本発明は少なくとも下記の利点を含む。
（１）リップ部の構造と膨張球は１工程で製造され、かつリップ部構造は従来技術の単方向性ガス弁と同じ機能をもつ。それ故単方向性ガス弁の取り付け台は不必要であり、組み立てコストと組み立て時間が減る。
（２）可撓性ゴム材料は、ガス洩れを起こさずにガス入口開口を有効に遮ることを可能にする。このことは膨張球の歩留りを改善する。
【００２１】
本発明の上記構造の色々な部品の種々の変更及び変形から得られる他の構造を、本発明の範囲と精神を逸脱することなく構成し得ることは当業者には明らかであろう。それ故、実施例についての上記説明は、本発明を構成しかつ実行する特定の手法を例示したに過ぎず、従って、本発明は、請求の範囲に規定した如き発明概念内に含まれるならば、上記実施例の変形と変更をも包含するものである。
【図面の簡単な説明】
【図１Ａ】従来技術の既知の血圧計用の膨張球の初期状態を示す縦断面図である。
【図１Ｂ】従来技術の既知の血圧計用の膨張球の初期状態を示す横断面図である。
【図１Ｃ】従来技術の既知の血圧計用の膨張球の加圧状態を示す縦断面図であ。
【図１Ｄ】従来技術の既知の血圧計用の膨張球の加圧状態を示す横断面図であ。
【図２Ａ】本発明の実施例の血圧計用の膨張球の初期状態を示す縦断面図である。
【図２Ｂ】本発明の実施例の血圧計用の膨張球の初期状態を示す横断面図である。
【図２Ｃ】本発明の実施例の血圧計用の膨張球の加圧状態を示す縦断面図である。
【図２Ｄ】本発明の実施例の血圧計用の膨張球の加圧状態を示す横断面図である。
【図２Ｅ】本発明の実施例の血圧計用の膨張球の回復状態を示す縦断面図であ。
【図２Ｆ】本発明の実施例の血圧計用の膨張球の回復状態を示す横断面図である。
【図３Ａ】本発明の膨張球の１変形例を示す横断面図である。
【図３Ｂ】本発明の膨張球の他の変形例を示す横断面図である。
【符号の説明】
１０　ガス取り入れ管
２００　膨張球
２１０　ガス入口端
２１２　リップ部
２１４　ガス入口開口
２１６　補強部分
２２０　ガス出口端
【図１Ａ】
2004113773.tif 000003
【図１Ｂ】
2004113773.tif 000004
【図１Ｃ】
2004113773.tif 000005
【図１Ｄ】
2004113773.tif 000006
【図２Ａ】
2004113773.tif 000007
【図２Ｂ】
2004113773.tif 000008
【図２Ｃ】
2004113773.tif 000009
【図２Ｄ】
2004113773.tif 000010
【図２Ｅ】
2004113773.tif 000011
【図２Ｆ】
2004113773.tif 000012
【図３Ａ】
2004113773.tif 000013
【図３Ｂ】
2004113773.tif 000014